(57)【要約】【課題】ＯＬＴと複数のＯＮＵとの間で光信号によりデータ伝送を行うＰＯＮシステムに関し、現用予備の冗長構成とすると共に信頼性を向上する。【解決手段】光加入者線収容装置と光ファイバ及び光カプラを介して複数の光加入者線終端装置とを接続して、光信号により送受信するＰＯＮシステムであって、光加入者線収容装置は、複数のインタフェース盤と、これらの複数のインタフェース盤の監視及び現用予備の切替制御を行う監視制御盤とを含む構成を備え、監視制御盤は、複数のインタフェース盤の現用予備の初期設定を行う設定部を備え、複数のインタフェース盤は、光加入者終端装置との間で交換するタイムスタンプを発生させるタイムスタンプカウンタを備え、それぞれのカウント値を補正してタイムスタンプの同期化を図る構成を備えている。【選択図】図１
2009055494.tif 000002
【特許請求の範囲】
【請求項１】
光加入者線収容装置と光ファイバ及び光カプラを介して複数の光加入者線終端装置とを接続して、光信号により送受信するＰＯＮシステムに於いて、
前記光加入者線収容装置は、複数のインタフェース盤と、該複数のインタフェース盤の監視及び現用予備の切替制御を行う監視制御盤とを含む構成を備え、
前記監視制御盤は、前記複数のインタフェース盤の現用予備の初期設定を行う設定部を備え、
前記複数のインタフェース盤は、前記光加入者終端装置との間で交換するタイムスタンプを発生させるタイムスタンプカウンタと、該タイムスタンプカウンタのカウント値を相互に比較する比較部と、該比較部の比較結果に応じて前記タイムスタンプカウンタのカウント値を補正する誤差補正制御部とを備えた
ことを特徴とするＰＯＮシステム。
【請求項２】
前記監視制御盤の前記設定部により現用系として設定された前記インタフェース盤の前記誤差補正制御部は、前記比較部による比較結果の誤差分について、前記設定部により予備系として設定された前記インタフェース盤の前記タイムスタンプカウンタのカウント値を補正する構成を備えたことを特徴とする請求項１記載のＰＯＮシステム。
【請求項３】
前記誤差補正制御部は、前記比較部による比較結果の誤差分について、現用系の前記インタフェース盤の前記タイムスタンプカウンタのカウント値が初期値となったタイミングで、予備系の前記インタフェース盤の前記タイムスタンプカウンタのカウント値が初期値となるように制御する構成を備えたことを特徴とする請求項２記載のＰＯＮシステム。
【請求項４】
前記監視制御盤の前記設定部により現用系として設定されたインタフェース盤と予備系として設定されたインタフェース盤とにそれぞれ同一の上り信号を入力し、該上り信号についてパケットの正常／異常をチェックして、正常パケット数と異常パケット数とをカウントする手段と、前記現用系のインタフェース盤の前記手段によるカウント内容と、前記予備系のインタフェース盤の前記手段によるカウント内容とを比較する比較手段と、該比較手段による比較結果により異常の有無を判定し、前記現用系のインタフェース盤の異常発生検出により該インタフェース盤を予備系に、前記予備系のインタフェース盤を現用系に切替制御する監視制御部とを備えたことを特徴とする請求項１記載のＰＯＮシステム。
【請求項５】
光加入者線収容装置と光ファイバ及び光カプラを介して複数の光加入者線終端装置とを接続して、光信号により送受信するＰＯＮシステムに於いて、
前記光加入者線収容装置は、複数のインタフェース盤と、該複数のインタフェース盤の監視及び現用予備の切替制御を行う監視制御盤と、複数の現用系のインタフェース盤と予備系のインタフェース盤との切替えを行う光スイッチとを含む構成を備え、
前記複数の現用系のインタフェース盤と前記予備系のインタフェース盤は、それぞれ前記監視制御盤の分配部から分配されたクロック信号をカウントするタイムスタンプカウンタと、該タイムスタンプカウンタのカウント値を補正する補正値をセットするレジスタとを含む構成を備え、
前記監視制御盤は、クロック信号をカウントするタイムスタンプカウンタと、該タイムスタンプカウンタのカウント値と、前記複数の現用系のインタフェース盤と前記予備系のインタフェース盤との前記タイムスタンプカウンタのカウント値を順次選択して比較し、比較結果の誤差値に対応した補正値を前記レジスタにセットして、前記インタフェース盤の前記タイムスタンプカウンタのカウント値を補正制御する比較・誤差補正制御部とを含む構成を備えた
ことを特徴とするＰＯＮシステム。
【請求項６】
前記監視制御盤は、前記複数の現用系のインタフェース盤の中の選択したインタフェース盤と予備系のインタフェース盤とに同一の上り信号を入力するように前記光スイッチを制御し、前記現用系のインタフェース盤と前記予備系のインタフェース盤とに於ける前記上り信号を処理して正常パケット数と異常パケット数とをカウントした結果を比較して、前記現用系のインタフェース盤と前記予備系のインタフェース盤との正常性をチェックする監視制御部を備えたことを特徴とする請求項５記載のＰＯＮシステム。
【請求項７】
前記監視制御盤は、前記光スイッチを制御して、前記予備系のインタフェース盤の下り信号処理部からのダミーフレームを入力して該ダミーフレームをチェックして、前記予備系のインタフェース盤の正常性をチェックするパケットモニタ手段を備えたことを特徴とする請求項５記載のＰＯＮシステム。
【発明の詳細な説明】
【技術分野】
【０００１】
本発明は、複数の光加入者線終端装置と光カプラを介して１本の光伝送路により光加入者線収容装置とを接続し、光信号によるデータを時分割多重化して送受信する現用予備の冗長構成を有するＰＯＮ（Ｐａｓｓｉｖｅ  Ｏｐｔｉｃａｌ  Ｎｅｔｗｏｒｋ）システムに関する。
【背景技術】
【０００２】
ＰＯＮシステムは、光加入者線収容装置（以下「ＯＬＴ」と略称する）と、複数のそれぞれの加入者宅に設置する光加入者線終端装置（ＯＮＵ：Ｏｐｔｉｃａｌ  Ｎｅｔｗｏｒｋ  Ｕｎｉｔ、以下「ＯＮＵ」と略称する）との間を、スターカプラを介して光伝送路により接続し、光伝送路上では、光信号を時分割多重化して伝送するものであり、この伝送速度をＧｂｐｓオーダとしたＧＥ−ＰＯＮシステムがある。このＧＥ−ＰＯＮシステムは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３ａｈに準拠したものであり、このＩＥＥＥ８０２．３ａｈは、ＯＬＴとＯＮＵとの間の同期をとる為と、各ＯＮＵ間で、それぞれの上りトラフィックが衝突しないように、送信タイミングをＯＬＴ側で調整することを規定している。
【０００３】
図８は、ＰＯＮシステムの説明図であり、（Ａ）は一般的なＰＯＮシステム、（Ｂ）はＯＬＴ側を現用予備の冗長構成としたＰＯＮシステムをそれぞれ示す。なお、（Ａ）又は（Ｂ）に示す構成は、何れも前述のＧＥ−ＰＯＮシステムとして適用できる。同図に於いて、１００は上位装置、１０１はＯＬＴ、１０２，１０４は光カプラ、１０３は光伝送路を構成する光ファイバ、１０５はＯＮＵ、１０６は光信号の送受信手段を含むインタフェース盤（ＰＩＦ；Ｐｏｎ  Ｉｎｔｅｒｆａｃｅ）、１０６−１は現用インタフェース盤（ＰＩＦ現用）、１０６−２は予備インタフェース盤（ＰＩＦ予備）、１０７は監視制御盤（ＳＶ）を示す。ＯＮＵ１０５は、ＧＥ−ＰＯＮシステムに於いては最大３２台とすることが可能である。
【０００４】
図８の（Ａ）に示すＰＯＮシステムに於いては、ＯＬＴ１０１のインタフェース盤１０６に対して、複数のＯＮＵ１０５が光カプラ１０４を介して接続され、ＯＬＴ１０１からの時分割多重化された下り信号は、光カプラ１０４により各ＯＮＵ１０５に分配され、各ＯＮＵ１０５は、それぞれ所定のタイミングの信号を受信処理する。又各ＯＮＵ１０５からの上り信号は、それぞれ指定されたタイミングで送信することにより、光カプラ１０４に於いて時分割多重化されてＯＬＴ１０１に送信され、ＯＬＴ１０１に接続した上位装置１００と、ＯＮＵ１０５に接続した端末装置（図示を省略）との間でデータを時分割多重化方式に従って送受信する。又監視制御盤１０７は、インタフェース盤１０６の状態を監視し、異常発生時には上位装置１００に通知する等により、障害復旧処理を行わせる。しかし、障害発生から復旧するまでの間は、データの送受信が不可能となる。
【０００５】
そこで、図８の（Ｂ）に示すように、ＯＬＴ１０１に複数のインタフェース盤を設け、一方を現用系、他方を予備系に初期設定するもので、図示の場合は、一方を現用インタフェース盤１０６−１とし、他方を予備インタフェース盤１０６−２とするように監視制御盤１０７により設定制御した場合を示し、現用インタフェース盤１０６−１と予備インタフェース盤１０６−２とを、光カプラ１０２を介して光ファイバ１０３と接続し、監視制御盤１０７は、現用インタフェース盤１０６−１の障害発生を検出すると、予備インタフェース盤１０６−２に切替えて、データの送受信を継続させる。それにより、システムの信頼性を向上することができる。
【０００６】
又現用予備の冗長構成のＰＯＮシステムに於いて、現用インタフェース盤と予備インタフェース盤とを、各ＯＮＵを接続した光カプラに接続し、ＯＮＵ側から光カプラを介してそれぞれ受信したデータを現用側メモリと予備側メモリとに蓄積し、現用インタフェース盤と予備インタフェース盤とそれぞれ光カプラとの間の伝送時間差を吸収できるように、同一タイミングに相当するデータを相互に比較し、同一の場合は正常と判断するＰＯＮシステムが提案されている（例えば、特許文献１参照）。
【特許文献１】特開２００１−１１９３４８号公報
【発明の開示】
【発明が解決しようとする課題】
【０００７】
ＧＥ−ＰＯＮシステムに於いては、ＯＬＴとＯＮＵとの間で、タイムスタンプを交換してタイミング同期をとり、各ＯＮＵ間の上り送信タイミングを、送信データの衝突が発生しないように調整している。このタイムスタンプを発生するタイムスタンプカウンタを、現用予備の冗長構成のインタフェース盤にそれぞれ設け、独立同期構成とする場合が一般的である。従って、現用予備の切替えを行った時に、ＯＮＵ側との間の送受信タイミングのずれによる送受信データの重なりが発生する問題がある。又現用インタフェース盤に対する予備インタフェース盤の正常性を保証する手段がなく、冗長構成の信頼性が充分でない問題がある。又前述の特許文献には、現用予備の冗長構成を示されているが、タイムスタンプの同期化やインタフェース盤の正常性の保証手段については開示されていない。
【０００８】
本発明は、前述の従来の問題点を解決することを目的とし、ＰＯＮシステムに於ける現用予備の冗長構成のインタフェース盤相互のタイムスタンプの同期化を図り、現用予備の切替えの信頼性を向上する。
【課題を解決するための手段】
【０００９】
本発明のＰＯＮシステムは、光加入者線収容装置と光ファイバ及び光カプラを介して複数の光加入者線終端装置とを接続して、光信号により送受信するＰＯＮシステムであって、光加入者線収容装置は、複数のインタフェース盤と、これらの複数のインタフェース盤の監視及び現用予備の切替制御を行う監視制御盤とを含む構成を備え、監視制御盤は、複数のインタフェース盤の現用予備の初期設定を行う設定部を備え、複数のインタフェース盤は、光加入者終端装置との間で交換するタイムスタンプを発生させるタイムスタンプカウンタと、このタイムスタンプカウンタのカウント値を相互に比較する比較部と、この比較部の比較結果に応じてタイムスタンプカウンタのカウント値を補正する誤差補正制御部とを備えている。
【００１０】
又監視制御盤の設定部により現用系として設定されたインタフェース盤の誤差補正制御部は、比較部による比較結果の誤差分について、設定部により予備系として設定されたインタフェース盤のタイムスタンプカウンタのカウント値を補正する構成を備えている。
【００１１】
又前記誤差補正制御部は、比較部による比較結果の誤差分について、現用系のインタフェース盤のタイムスタンプカウンタのカウント値が初期値となったタイミングで、予備系のインタフェース盤のタイムスタンプカウンタのカウント値が初期値となるように制御する構成を備えている。
【００１２】
又監視制御盤の設定部により現用系として設定されたインタフェース盤と予備系として設定されたインタフェース盤とにそれぞれ同一の上り信号を入力し、この上り信号についてパケットの正常／異常をチェックして、正常パケット数と異常パケット数とをカウントするパケットモニタ部等の手段と、現用系のインタフェース盤のパケットモニタ部等の手段によるカウント内容と、予備系のインタフェース盤のパケットモニタ部等の手段によるカウント内容とを比較する比較手段と、この比較手段による比較結果により異常の有無を判定し、現用系のインタフェース盤の異常発生検出により、このインタフェース盤を予備系に、いままでの予備系のインタフェース盤を現用系にそれぞれ切替制御する監視制御部とを備えている。
【００１３】
又光加入者線収容装置と光ファイバ及び光カプラを介して複数の光加入者線終端装置とを接続して、光信号により送受信するＰＯＮシステムであって、光加入者線収容装置は、複数のインタフェース盤と、これらの複数のインタフェース盤の監視及び現用予備の切替制御を行う監視制御盤と、複数の現用系のインタフェース盤と予備系のインタフェース盤との切替えを行う光スイッチとを含む構成を備え、複数の現用系のインタフェース盤と、予備系のインタフェース盤とは、それぞれ監視制御盤の分配部から分配されたクロック信号をカウントするタイムスタンプカウンタと、このタイムスタンプカウンタのカウント値を補正する補正値をセットするレジスタとを含む構成を備え、監視制御盤は、クロック信号をカウントするタイムスタンプカウンタと、このタイムスタンプカウンタのカウント値と、複数の現用系のインタフェース盤と、予備系のインタフェース盤とのそれぞれのタイムスタンプカウンタのカウント値を順次選択して比較し、比較結果の誤差値に対応した補正値をレジスタにセットして、インタフェース盤のタイムスタンプカウンタのカウント値を補正制御する比較・誤差補正制御部とを含む構成を備えている。
【００１４】
又監視制御盤は、複数の現用系のインタフェース盤の中の選択したインタフェース盤と予備系のインタフェース盤とに同一の上り信号を入力するように光スイッチを制御し、現用系のインタフェース盤と予備系のインタフェース盤とに於ける同一の上り信号を処理して正常パケット数と異常パケット数とをカウントした結果を比較し、現用系のインタフェース盤と予備系のインタフェース盤との正常性をチェックする監視制御部を備えている。
【００１５】
又監視制御盤は、光スイッチを制御して、予備系のインタフェース盤の下り信号処理部からのダミーフレームを入力して、このダミーフレームをチェックし、予備系のインタフェース盤の正常性をチェックするパケットモニタ手段を備えている。
【発明の効果】
【００１６】
ＯＬＴは、現用系と予備系との冗長構成のインタフェース盤を含み、ＯＮＵ側との間で交換するタイムスタンプを、現用系のインタフェース盤と予備系のインタフェース盤との間で同期化することにより、現用予備の切替時点に於ける送受信タイミングのずれはなく、従って、円滑な現用予備の切替えを行うことができる。又予備系のインタフェース盤の正常性をチェックして、正常性を保証することができるから、ＰＯＮシステムの信頼性を向上することができる。
【発明を実施するための最良の形態】
【００１７】
本発明のＰＯＮシステムは、光加入者線収容装置と光ファイバ及び光カプラを介して複数の光加入者線終端装置とを接続して、光信号により送受信するＰＯＮシステムであって、光加入者線収容装置は、複数のインタフェース盤と、これらの複数のインタフェース盤の監視及び現用予備の切替制御を行う監視制御盤とを含む構成を備え、監視制御盤は、複数のインタフェース盤の現用予備の初期設定を行う設定部を備え、複数のインタフェース盤は、光加入者終端装置との間で交換するタイムスタンプを発生させるタイムスタンプカウンタを備え、それぞれのカウント値を補正してタイムスタンプの同期化を図る構成を備えている。
【実施例１】
【００１８】
図１は、本発明の実施例１の要部説明図であり、ＰＯＮシステムのＯＬＴの要部構成について示し、ＰＯＮシステムを構成する例えば、図８の（Ｂ）に示す光カプラやＯＮＵは図示を省略している。図１に於いて、１はＯＬＴ（光加入者線収容装置）、１０は現用インタフェース盤（ＰＩＦ現用）、２０は予備インタフェース盤（ＰＩＦ予備）、３０は監視制御盤（ＳＶ）、１１，２１は発振器、１２，２２はタイムスタンプカウンタ、１３，２３は比較部、１４，２４は誤差補正制御部、３１は設定部を示す。ＯＬＴ１に設けた複数のインタフェース盤の一方を現用インタフェース盤１０とし、他方を予備インタフェース盤２０とするように、監視制御盤３０により設定制御された場合を示すものであり、発振器１１，２１は、高精度の発振器であり、それぞれ独立に発振動作するものである。又タイムスタンプカウンタ１２，２２はそれぞれの発振器１１，２１からのクロック信号をカウントアップし、そのカウント値をタイムスタンプとするものであり、比較部１３，２３に於いて相互のカウント値を比較し、差分を誤差補正制御部１４，２４に入力し、タイムスタンプカウンタ１２，２２のカウント値を一致するように補正する。即ち、タイムスタンプを同期化する。
【００１９】
この場合、誤差補正制御部１４，２４に対して、監視制御盤３０の設定部３１から現用／予備指示信号を、初期設定時に入力して、複数のインタフェース盤の一方を現用系、他方を予備系とするものであり、現用系となったインタフェース盤の誤差補正制御部から予備系となったインタフェース盤のタイムスタンプカウンタのカウント値を補正する制御を行う。例えば、初期設定時に、監視制御盤３０の設定部３１から、インタフェース盤１０を現用として指示し、インタフェース盤２０を予備として指示した場合を示しており、現用インタフェース盤１０の比較部１３によるタイムスタンプカウンタ１２，２２のカウント値を比較し、比較結果を誤差補正制御部１４に入力し、誤差補正制御部１４は、予備インタフェース盤２０のタイムスタンプカウンタ２２のカウント値を、制御信号により補正し、現用インタフェース盤１０のタイムスタンプカウンタ１２と、予備インタフェース盤２０のタイムスタンプカウンタ２２とのそれぞれのタイムスタンプを同期化する。それにより、独立同期で動作していた現用インタフェース盤１０と予備インタフェース盤２０とのタイムスタンプは同期化するから、現用予備の切替えを行った時には、送受信タイミングのずれはなくなり、現用予備の切替えを円滑に行うことができる。
【００２０】
図２は、タイムスタンプ補正説明図であり、（ａ）はＰＩＦ現用（現用インタフェース盤）のタイムスタンプ、（ｂ）はＰＩＦ予備（予備インタフェース盤）に於いて受信する伝搬遅延を含むＰＩＦ現用のタイムスタンプ、（ｃ）はＰＩＦ予備（予備インタフェース盤）のタイムスタンプを示し、監視制御盤３０の設定部３１から初期設定時に現用系として設定された現用インタフェース盤１０のタイムスタンプが例えば“０”の時に、初期設定時に予備系として設定された予備インタフェース盤２０のタイムスタンプが例えば“２”を示す時、現用インタフェース盤１０の比較部１３は、その差分を誤差補正制御部１４に加えることにより、この誤差補正制御部１４による制御タイミングに於いて予備インタフェース盤２０のタイムスタンプカウンタ２２を差分が零となるように制御し、現用インタフェース盤１０のタイムスタンプに、予備インタフェース盤２０のタイムスタンプを同期化させる。
【００２１】
誤差補正制御部１４によるタイムスタンプ同期化の為の誤差補正タイミングを、図２に於いては、現用インタフェース盤１０のタイムスタンプカウンタ１２によるタイムスタンプが“０”のタイミングで、予備インタフェース盤２０のタイムスタンプカウンタ２２を初期設定することにより、タイムスタンプを“０”として、誤差補正する場合を示している。なお、タイムスタンプ値の一巡の時間が長い構成に於いては、現用インタフェース盤１０のタイムスタンプカウンタ１２が“０”となる前の適当な時点で、予備インタフェース盤２０のタイムスタンプカウンタ２２のカウント値を同期化するように差分値に従って補正制御することができる。或いは、誤差分が予め設定した値を超えた時に、補正制御を行う構成とすることも可能である。このように、現用インタフェース盤１０と、予備インタフェース盤２０とのタイムスタンプを同期化することにより、現用予備の切替えを円滑に行うことが可能となる。
【実施例２】
【００２２】
図３は、本発明の実施例２の要部説明図であり、例えば、図８の（Ｂ）に示すＰＯＮシステムのＯＬＴと光カプラとに対応する部分の実施例について示し、他の上位装置やＯＮＵについては図示を省略している。図３に於いて、１はＯＬＴ（光加入者線収容装置）、２は光カプラ、３は光伝送路を構成する光ファイバ、１０は現用インタフェース盤（ＰＩＦ現用）、２０は予備インタフェース盤（ＰＩＦ予備）、１４，２４は誤差補正制御部、１５，２５は光送受信部、１６，２６は上り信号処理部、１７，２７はパケットモニタ部、１８，２８はパケット比較部、１９，２９は監視制御部、３０は監視制御盤（ＳＶ）、３１は設定部を示す。なお、誤差補正制御部１４，２４は、図１に於ける誤差補正制御部と同様の機能を有し、発振器、タイムスタンプカウンタ、比較部については図示を省略している。又現用インタフェース盤１０及び予備インタフェース盤２０は、それぞれ設定部３１により初期設定時に現用系及び予備系に設定されたインタフェース盤である。
【００２３】
現用インタフェース盤１０と予備インタフェース盤２０との光送受信部１５，２５により、光カプラ２と光ファイバ３とを介して図示を省略しているＯＮＵとの間の光信号の送受信を行い、ＯＮＵからの上り信号について、現用インタフェース盤１０と予備インタフェース盤２０との上り信号処理部１６，２６に於いて処理し、パケットモニタ部１７，２７に於いて符号則等のチェックにより、正常パケットか異常パケットかを判定し、正常パケット数と異常パケット数とをカウントし、パケット比較部１８，２８により定期的に相互に比較する。異常パケット数が予め設定した数を超えた場合又は正常パケット数に対する異常パケット数の割合が設定した割合を超えている場合は、それぞれのパケット比較部１８，２８により比較し、比較結果を監視制御部１９，２９に入力し、監視制御部１９，２９は、異常パケット数が多い方又は異常パケットの割合が多い方の上り受信系に異常発生と判断し、異常発生が現用インタフェース盤１０側であると、誤差補正制御部１４，２４を制御して、現用インタフェース盤１０を予備系に、予備インタフェース盤２０を現用系に強制切替制御を行う。この時、前述の図１について説明したように、タイムスタンプの同期化が行われているから、円滑に現用予備切替えが可能となる。又予備インタフェース盤２０についての正常性を監視することができるから、現用インタフェース盤１０の障害発生時には、正常な予備インタフェース盤２０に切替えてデータ通信を継続することができ、ＰＯＮシステムの信頼性を向上することができる。
【実施例３】
【００２４】
図４は、本発明の実施例３の説明図であり、４０は上位装置、４１はＯＬＴ（光加入者線収容装置）、４２は光伝送路を構成する光ファイバ、４３は光カプラ、４４はＯＮＵ（光加入者終端装置）、４５−１〜４５−ｎは現用インタフェース盤（ＰＩＦ現用）４６は予備インタフェース盤（ＰＩＦ予備）、４７は監視制御盤（ＳＶ）、４８は光スイッチを示し、現用インタフェース盤４５−１と光ファイバ４２を介して接続されたＯＮＵ４４は概要を図示しているが、他の現用インタフェース盤４５−２〜４５−ｎ対応のＯＮＵについては図示を省略している。又監視制御盤４７による初期設定時に、複数（ｎ＋１）のインタフェース盤の中の１個のインタフェース盤を予備インタフェース盤４６とし、他のｎ個のインタフェース盤を現用インタフェース盤４５−１〜４５−ｎとした場合であり、監視制御盤４７により制御される光スイッチ４８により、ｎ個の現用インタフェース盤４５−１〜４５−ｎに対して、１個の予備インタフェース盤４６を切替接続可能とし、ｎ：１の現用予備切替方式のＰＯＮシステムを構成している。
【００２５】
図５は、ｎ：１現用予備構成のインタフェース盤に於けるタイムスタンプ補正制御構成の説明図であり、ＯＬＴ４１の要部を示し、図４と同様に、ｎ個の現用インタフェース盤４５−１〜４５−ｎと、予備インタフェース盤４６と、監視制御盤４７とを備え、５１，５３はタイムスタンプカウンタ、５２，５４はレジスタ、５６は発振器、５７はタイムスタンプカウンタ、５８は比較・誤差補正制御部、５９はセット／リセット信号を出力するレジスタ制御部、６０は等遅延クロック信号を分配する分配部を示す。又現用インタフェース盤４５−１〜４５−ｎと、予備インタフェース盤４６とは、前述のように、監視制御盤４７により、それぞれ現用系と予備系とに設定されたインタフェース盤である。なお、現用インタフェース盤４５−１〜４５−ｎの何れかに対する予備インタフェース盤４６を切替接続する為の光スイッチは図示を省略している。
【００２６】
現用インタフェース盤４５−１〜４５−ｎのタイムスタンプカウンタ５１と予備インタフェース盤４６のタイムスタンプカウンタ５３とは、監視制御盤４７の分配部６０からの等遅延クロック信号が供給されてタイムスタンプのカウントアップ処理を行う。従って、各タイムスタンプカウンタ５１，５３は、それぞれ等遅延クロック信号をカウントアップするものであるから、理論的には総て同期して同一カウント値を示すことになる筈であるが、何らかの原因によって、カウント値が相違する場合があると、現用予備切替えを円滑に行うことができなくなる。そこで、監視制御盤４７は、発振器５６の出力のクロック信号をタイムスタンプカウンタ５７によりカウントアップし、そのカウント値を比較・誤差補正制御部５８に加えて、現用インタフェース盤４５−１〜４５−ｎのタイムスタンプカウンタ５１と予備インタフェース盤４６のタイムスタンプカウンタ５３とのカウント値とを比較する。この場合の比較順序は、例えば、現用インタフェース盤４５−１〜４５−ｎと予備インタフェース盤４６との配置順等とすることができる。
【００２７】
比較・誤差補正制御部５８は、タイムスタンプカウンタ５１，５３のカウント値と、タイムスタンプ５７のカウント値との比較結果に従って、誤差補正値をレジスタ制御部５９から誤差発生のタイムスタンプカウンタ対応のレジスタ５２，５４に補正値を設定し、そのタイムスタンプカウンタのカウント値を補正する。この補正処理の過程に於いて、誤差を大きいタイムスタンプカウンタに対しては、予め設定した１単位の補正値毎に、全タイムスタンプカウンタ５１，５３に対する補正処理の一巡した時に行い、誤差が大きい場合の急激なタイムスタンプの変化を防止して、安定なデータ伝送を継続させ、且つ現用インタフェース盤の障害発生時、予備インタフェース盤４６に円滑に切替えてデータ伝送を継続させることができる。
【００２８】
図６は、現用インタフェース盤と予備インタフェース盤との受信処理構成の正常性を監視する場合の説明図であり、図４に於けるＯＬＴ４１の主要部の構成のみを示すもので、現用インタフェース盤（ＰＩＦ現用）４５と予備インタフェース盤（ＰＩＦ予備）４６と監視制御盤（ＳＶ）４７と光スイッチ４８と、光ファイバ４２とを示す。又６１，６２は光送受信部、６３，６４は上り信号処理部、６５，６６はパケットモニタ部、６８，６７はメモリ、６９はメモリ比較部、７０は監視制御部、７１は切替制御部を示す。なお、現用インタフェース盤４５は、図４及び図５に示すように、複数設けた構成を有するものであるが、その中の一つのみを図示している。
【００２９】
監視制御盤４７の切替制御部７１により光スイッチ４８を制御して、光ファイバ４２に対して、現用インタフェース盤４５と予備インタフェース盤４６とを接続し、図示を省略したＯＮＵ側からの上り光信号を、現用インタフェース盤４５と予備インタフェース盤４６との光送受信部６１，６２に入力し、光電変換処理して、上り信号処理部６３，６４に電気信号として入力する。なお、複数の現用インタフェース盤に対して、予備インタフェース盤４６を、光スイッチ４８を制御して、所定期間毎に順次切替接続する。パケットモニタ部６５，６６は、上り信号処理部６３，６４に於いて処理した受信フレームの符号則等を基に、正常パケットであるか否かを判定し、正常パケット数と異常パケット数とをそれぞれカウントし、所定期間毎のカウント内容を監視制御盤４７のメモリ６７，６８に転送する。
【００３０】
監視制御盤４７のメモリ比較部６９は、メモリ６７，６８から転送された正常パケット数と異常パケット数とを比較し、比較結果を監視制御部７０に通知する。監視制御部７０は、異常パケット数が予め定めた異常判定値より小さく、現用インタフェース盤４５と予備インタフェース盤４６とのそれぞれのパケット数の差分が所定値以下の場合は、何れも正常と判定する。又現用インタフェース盤４５側の異常パケット数が異常判定値を超えていると共に、予備インタフェース盤４６側の異常パケット数より多い場合は、現用インタフェース盤４５の異常と判定し、切替制御部７１に通知する。切替制御部７１は、光スイッチ４８を制御して、光ファイバ４２と現用インタフェース盤４５との間を切り離し、予備インタフェース盤４６を光ファイバ４２と接続し、この予備インタフェース盤４６を現用側として送受信を継続させる。又図４に於ける上位装置４０に現用予備切替情報を通知する。それにより、インタフェース盤の現用予備切替えを行うことができる。なお、予備インタフェース盤４６が異常の場合、監視制御盤４７から図示を省略している保守端末や上位装置等へ異常発生を通知する。前述のように、予備インタフェース盤４６の正常性を含めてチェックすることにより、ＰＯＮシステムの信頼性を向上することができる。
【００３１】
図７は、予備インタフェース盤の正常性を監視する場合の要部説明図であり、図６と同一符号は同一名称部分を示し、７２は光送受信部、７３は下り信号処理部、７４は上り信号処理部、７５はダミーフレーム送信部、７６はパケットモニタ部、７７は下り信号処理部、７８はダミーフレーム送信部を示す。監視制御部７０からの指示により、切替制御部７１は、光スイッチ４８により、予備インタフェース盤４６の光送受信部６２と、監視制御盤４７の光送受信部７２との間を接続するように切替制御する。そして、予備インタフェース盤４６のダミーフレーム送信部７８からテスト用のダミーフレームを発生させて、下り信号処理部７７により送信フレームを形成し、光送受信部６２により光信号に変換して、光スイッチ４８を介して監視制御盤４７の光送受信部７２へ送出する。
【００３２】
予備インタフェース盤４６からの下り信号は、ＯＮＵ方向への信号であり、監視制御盤４７に於いては、ＯＮＵ方向からの信号に相当し、従って、光送受信部７２で受信した予備インタフェース盤４６からの信号を、上り信号処理部７４に於いて受信処理し、パケットモニタ部７６に於いてパケットの符号則等により異常パケットであるか否かを判定し、正常パケット数と異常パケット数とをカウントし、所定期間に於ける異常パケット数が異常判定値を超えていない場合は、予備インタフェース盤の下り信号処理部７７と光送受信部６２とを含む構成は正常と判定する。
【００３３】
又図６に示すように、予備インタフェース盤４６の上り信号処理部６４を含む構成に対して、監視制御盤４７のダミーフレーム送信部７５に於いて試験用のダミーフレームを生成し、下り信号処理部７３により送信フレームを形成し、光送受信部７２から光スイッチ４８を介して予備インタフェース部４６の光送受信部６２へ転送し、予備インタフェース盤４６の上り信号処理部６４により受信処理し、パケットモニタ部６６によりパケットの符号則等により受信パケットの正常性をチェックし、監視制御盤４７にチェック結果を、メモリ６８等を介して転送し、監視制御部７０により予備インタフェース盤４６の上り信号処理構成の正常性をチェックすることができる。チェック処理後は、光スイッチ４８を制御し、予備インタフェース盤４６と監視制御盤４７との間を切り離す。このように、上り信号及び下り信号についての予備インタフェース盤４６の正常性を、監視制御部４７により定期的にチェックすることにより、ｎ：１の現用予備切替構成の予備インタフェース盤４６の信頼性を向上することができる。
【図面の簡単な説明】
【００３４】
【図１】本発明の実施例１の要部説明図である。
【図２】本発明の実施例１のタイムスタンプ補正説明図である。
【図３】本発明の実施例２の要部説明図である。
【図４】本発明の実施例３の説明図である。
【図５】本発明の実施例３のタイムスタンプ補正制御構成の説明図である。
【図６】本発明の実施例３の監視制御構成の説明図である。
【図７】本発明の実施例３の監視制御構成の説明図である。
【図８】従来例の説明図である。
【符号の説明】
【００３５】
１  ＯＬＴ（光加入者線収容装置）
１０  現用インタフェース盤（ＰＩＦ現用）
２０  予備インタフェース盤（ＰＩＦ予備）
１１，２１  発振器
１２，２２  タイムスタンプカウンタ
１３，２３  比較部
１４，２４  誤差補正制御部
３０  監視制御盤（ＳＶ）
３１  設定部
【図１】
2009055494.tif 000003
【図２】
2009055494.tif 000004
【図３】
2009055494.tif 000005
【図４】
2009055494.tif 000006
【図５】
2009055494.tif 000007
【図６】
2009055494.tif 000008
【図７】
2009055494.tif 000009
【図８】
2009055494.tif 000010